(57)【特許請求の範囲】
【請求項１】
骨盤に固定する股ソケットと、該股ソケットの外周面に取り付けられ、股関節軸が設けられた股継手と、該股継手に取り付けられ、前記股関節軸を中心として回転可能に構成された大腿用骨格パイプと、を備えた股義足において、
前記股ソケットは、外周下面に露出する側面視円弧状のガイドレールを備え、
前記股継手は、前記股ソケットの外周側面に取り付けられた股関節軸と、
上端が前記股関節軸に回転可能に取り付けられ、下端が前記股ソケットの外周下面の下方に回り込み、前記股ソケットの支持部を構成する回転ブラケットと、
前記回転ブラケットの支持部上に、前記ガイドレールの露出面に接触するよう設けられ、前記露出面に沿って転がり運動する支持ローラーと、を備え、
前記大腿用骨格パイプは、前記回転ブラケットの支持部の下に取り付けられたことを特徴とする股義足。
【請求項２】
前記股関節軸は、軸の回転中心の地上高及び前後位置が、股離断前の健常な股関節における回転中心の地上高及び前後位置と略同一であることを特徴とする請求項１記載の股義足。
【請求項３】
前記股関節軸は、固定ブラケットに取り付けられ、前記固定ブラケットにおいて、前記股関節軸の取付位置の上方に設けられた取付部を介して前記股ソケットの外周側面に取り付けられたことを特徴とする請求項１又は２に記載の股義足。
【請求項４】
前記回転ブラケットは、上端部外周面に進退自在に形成された回転範囲調節ネジが突出し、前記固定ブラケットは、前記回転範囲調節ネジが、回転ブラケットの回転に際して接触するネジ受け部を備えたことを特徴とする請求項３に記載の股義足。
【請求項５】
前記回転範囲調節ネジは、前記回転ブラケット上端部の前後２箇所に突出し、前記ネジ受け部は、前後に進退するレバー及び前記レバーの進退に併せて固定ブラケットの内部を前後に摺動する摺動構造に一体化されると共に、下方に突出する突出部と、該突出部に対して段差状に形成された段差部と、を備え、
前記上端部前側の回転範囲調整ネジの先端は、前記突出部に接触すると共に、段差部に対して空転し、前記上端部後側の回転範囲調整ネジの先端は、段差部に接触するように構成されたことを特徴とする請求項４に記載の股義足。
【請求項６】
前記股継手は、前記股関節軸を中心として伸展方向へ回転する前記回転ブラケットに対し、前記回転に抗する向きの弾性力を付与する弾性機構を備えたことを特徴とする請求項１から５のうちいずれかに記載の股義足。
【請求項７】
前記股継手は、前記股関節軸を中心として屈曲方向へ回転する前記回転ブラケットに対し、前記回転に抗する向きの弾性力を付与する弾性機構を備えたことを特徴とする請求項１から６のうちいずれかに記載の股義足。
【発明の詳細な説明】
【技術分野】
【０００１】
本発明は、股離断患者が着用する股義足に関する技術である。
【背景技術】
【０００２】
従来股離断（股関節近傍で大腿部が切断された）患者が着用する股義足は、下記特許文献１に示す構成のものがあった。
【０００３】
下記特許文献１の股義足ソケット２３に取り付けた股継手２１は、第６図（ａ）（ｂ）に示すとおり股関節軸３５が、骨材５６の下方かつ前寄りに形成されていた。従って、義足使用者がソケット２３を装着した場合に義足側に形成される股関節の回転中心位置（股関節軸３５の位置）は、解剖学的見地から股離断前に股関節の回転中心があったとされる位置よりも下方かつ前方に形成されていた。
【０００４】
一方、大腿用骨格パイプ２０は、上端が支持枠３４と一体に形成された筒体２５に嵌入され、股関節軸３５を中心に回転可能に構成される一方、下端が膝関節軸１８を備えた膝継手１８’に取り付けられ、同じく膝関節軸１８’に取り付けられた下肢用骨格パイプ１７に対して相互に回転可能となるように構成された。また、大腿用骨格パイプ２０は、下端に設けられた筒状楔１９により上端が前傾する一方で、皿座２２と支持枠３４の内側に設けられた弾性係合体４５とストッパ４６とが接触し、大腿用骨格パイプ２０の上端側が、下肢用骨格パイプ１７の中心軸線に対して所定角度以上前傾しないように、回転角度が制限されていた。
【０００５】
即ち、この構成により、大腿用骨格パイプ２０は、立脚時における義足装着者の体重により上端側が前傾する方向に作用する回転モーメントと弾性係合体４５からストッパ４６が受ける反作用モーメントとの釣り合いにより、下肢用骨格パイプ１７の中心軸線に対して、上端側が前方に向かって所定角度傾斜した、いわゆる過伸展状態で固定されていた。
【０００６】
従って、特許文献１の股義足用股継手では、立脚時において大腿用骨格パイプの上端側が下肢用骨格パイプの中心軸線に対して後方に傾斜するいわゆる過屈曲による股折れや膝折れが生じにくく、安定した立脚状態が維持されていた。
【０００７】
【特許文献１】特公昭５９−２３０５５１号公報
【発明の開示】
【発明が解決しようとする課題】
【０００８】
しかし、従来の股義足は、立脚時に大腿用骨格パイプの上端が前傾し、義足の膝関節が、健常側の脚の膝関節より後方に位置するため、義足の振り出し角度が健常側よりも大きく、振り出しに時間がかかるため、遊脚（歩行）時における義足の運び（以降は歩様という）がスムーズにいかないという問題が発生していた。
【０００９】
一方、義足側は、大腿用骨格パイプ２０が前傾した状態で立脚するため、股関節軸から膝関節軸を経由し足裏に至る長さが、健常側の脚の股関節軸から足裏までの長さより長くなっていた。従って、遊脚時には、健常側をつま先立ち状態のようにして義足側の大腿部を上に持ち上げて前傾した大腿用骨格パイプ２０を鉛直方向に向け、足裏を地面から離しつつ大腿部を前方に移動して体重移動をする、という動作をしなければ、足裏を地面に擦ってしまっていた。このとき、義足側を上方に引っ張り上げつつ前方へ踏み出す動作は、健常側の遊脚動作と比較して大変大きくぎこちないものとなっており、歩様にスムーズさを欠くと共に義足装着者にかかる体力的な負担が大きくなっていた。
【００１０】
一方、義足装着者が椅子などに着座する場合において、股関節軸３５がソケットの下方に設けられた場合には、椅子等と装着者の尻の間に股継手２１が挟まるため、着座の妨げとなる点も問題となっていた。
【００１１】
以上の問題に鑑みて、本発明は、装着者の義足側の歩様が、健常側の脚の歩様に出来るだけ近づくように改善することで装着者の体力的な負担を軽減し、かつ装着後に着座の妨げにならない股継手を備えた股義足を提供することを目的としている。
【課題を解決するための手段】
【００１２】
請求項１の発明は、骨盤に固定する股ソケットと、該股ソケットの外周面に取り付けられ、股関節軸が設けられた股継手と、該股継手に取り付けられ、前記股関節軸を中心に回転可能に構成された大腿用骨格パイプと、を備えた股義足において、前記股ソケットは、外周下面に露出する側面視円弧状のガイドレールを備え、前記股継手は、前記股ソケットの外周側面に取り付けられた股関節軸と、上端が前記股関節軸に（正逆方向に）回転可能に取り付けられ、下端が前記股ソケットの外周下面の下方に回り込み、前記股ソケットの支持部を構成する回転ブラケットと、前記回転ブラケットの支持部上に、前記ガイドレールの露出面に接触するよう設けられ、前記露出面に沿って転がり運動する支持ローラーと、を備え、前記大腿用骨格パイプが、前記回転ブラケットの支持部の下に取り付けられた股義足である。
【００１３】
（作用）請求項１の発明は以下の作用を奏する。即ち、（ａ）義足の股関節軸は、足離断前の健常時に股関節の回転中心が存在した位置の近くに形成される。即ち、大腿用骨格パイプの上端が、立脚時に下肢用骨格パイプに対して前傾した状態とならないため、義足の振り出し及び振り戻し角度が小さくなる。（ｂ）股関節軸から膝関節軸を経由し足裏に至る長さは、健常側の脚の股関節軸から足裏までの長さに近くなるため、股義足の足裏を地面に擦らないように遊脚時に義足側大腿部を持ち上げる動作が小さくなる。（ｃ）義足装着者の体重による負荷が、股関節軸と、ガイドレールの真下で接する支持ローラーに分散される。（ｄ）支持ローラーは、回転ブラケットの回転に合わせて、円弧状のガイドレール上を転がり運動し、回転ブラケットが股関節軸を中心に滑らかに回転する。（ｅ）支持ローラーの接触による磨耗は、ガイドレール上にのみ発生する。
【００１４】
請求項２の発明は、請求項１記載の股義足であって、前記股関節軸は、軸の回転中心の地上高及び前後位置が、股離断前の健常な股関節における回転中心の地上高及び前後位置と略同一である。
【００１５】
（作用）股義足の振り出し動作は、より健常側の動作に近い小さなものとなる。
【００１６】
請求項３の発明は、請求項１又は２に記載の股義足であって、前記股関節軸は、固定ブラケットに取り付けられ、前記固定ブラケットにおいて、前記股関節軸の取付位置の上方に設けられた取付部を介して前記股ソケットの外周側面に取り付けられている。
【００１７】
（作用）義足装着者の体重が、股関節軸と支持ローラーに加え、前記取付部に分散して作用する。
【００１８】
請求項４の発明は、請求項３に記載の股義足であって、前記回転ブラケットは、上端部外周面に進退自在に形成された回転範囲調節ネジが突出し、前記固定ブラケットは、前記回転範囲調節ネジが接触するネジ受け部を備えている。
【００１９】
（作用）回転範囲調節ネジは、回転ブラケットを固定ブラケットに対して所定角度回転させた際にネジ受け部に接触するため、回転ブラケットの回転範囲が制限される。また、回転範囲調整ネジの突出長さを変更すると、股関節軸上を回転するブラケットの回転角範囲が変化する。
【００２０】
請求項５の発明は、請求項４に記載の股義足であって、前記回転範囲調節ネジは、前記回転ブラケット上端部の前後２箇所に突出し、前記ネジ受け部は、前後に進退するレバー及び前記レバーの進退に併せて固定ブラケットの内部を前後に摺動する摺動構造（シリンダ）に一体化されると共に、下方に突出する突出部と、該突出部に対して段差状に形成された段差部と、を備え、前記上端部前側の回転範囲調整ネジの先端は、前記突出部に接触すると共に、段差部に対して空転し、前記上端部後側の回転範囲調整ネジの先端は、段差部に接触するように構成されている。
【００２１】
（作用）レバーを進退させ、ネジ受け部を前後に摺動させることにより、回転ブラケット上端部前側の回転範囲調整ネジが、ネジ受け部の突端部に接触し、屈曲方向（大腿用骨格パイプ上端が後方へ傾斜する方向）への回転ブラケットの回転範囲が制限される場合と、突端部に接触せずに空転し、回転ブラケットが更に大きく屈曲する場合が切り替えられる。また、回転ブラケット上端部後側の回転範囲調整ネジの突出長さを変更することにより、伸展方向（大腿用骨格パイプ上端が前方へ傾斜する方向）への回転範囲が変化する。
【００２２】
請求項６の発明は、請求項１から５のうちいずれかに記載の股義足であって、前記股継手は、前記股関節軸を中心として伸展方向へ回転する前記回転ブラケットに対し、前記回転に抗する向きの弾性力を付与する弾性機構を備えている。
【００２３】
（作用）義足を着地した際に義足から骨盤に伝達される衝撃が緩和され、かつ義足の振り出しが促進される。
【００２４】
請求項７の発明は、請求項１から６のうちいずれかに記載の股義足であって、前記股継手は、前記股関節軸を中心として屈曲方向へ回転する前記回転ブラケットに対し、前記回転に抗する向きの弾性力を付与する弾性機構を備えている。
【００２５】
（作用）回転ブラケットが屈曲方向へ回転し、回転ブラケット上端部前側の回転範囲調整ネジが突端部に接触する際に義足から骨盤に伝達される衝撃が緩和され、かつ義足の振り戻しが促進される。
【発明の効果】
【００２６】
請求項１の発明により、義足の振り出しに必要な動作は小さくなるため、遊脚時における義足装着者の歩様がスムーズになる。また、義足の振り出し動作に必要な力も軽減されるため、義足装着者にかかる体力的な負荷が軽減される。更に、股ソケットの外周下面に股関節軸が無いため、椅子等に着座する際に股関節軸が邪魔にならなくなる。
【００２７】
請求項２の発明により、遊脚時における義足装着者の歩様が一層スムーズになり、義足装着者にかかる体力的な負荷が更に軽減される。
【００２８】
請求項３の発明により、股関節軸の耐久性が向上する。回転ブラケットの回転がスムーズになり、また、義足振り出し時に義足装着者にかかる体力的な負荷が更に軽減される。
【００２９】
請求項４の発明により、義足装着者の体格に基づく歩幅に合わせて、回転ブラケットに取り付けた大腿用骨格パイプの傾斜角範囲を調節できる。更に、大腿用骨格パイプが過度な角度で屈曲し、又は伸展するいわゆる股折れが防止される。
【００３０】
請求項５の発明により、遊脚時には、回転ブラケットの回転範囲が制限されて股折れが防止される一方で、椅子等へ着座する際には、大腿用骨格パイプが大きく屈曲し、着座を可能にする。
【００３１】
請求項６の発明により、義足装着者が、地面から受ける衝撃を緩和することができる。
【００３２】
請求項７の発明により、義足装着者は、より小さな力で義足を振り出しまたは降り戻すことが出来る。
【発明を実施するための最良の形態】
【００３３】
以下、図面１〜５を参照して本願考案の好適な実施形態（以下、実施例という）について説明する。
【００３４】
図１（ａ）は、本発明の第１の実施例である股義足の正面図、図１（ｂ）は、股ソケットへ埋設されたガイドレールを表す一部断面図、図２は、本発明の第１の実施例である股義足の側面図、図３は、股義足の股継手とガイドレールの位置関係を表す斜視図、図４は、股継手の股関節軸近傍の内部構造を表す一部断面図、図５は、着座時における回転ブラケットと固定ブラケットの位置関係を表す一部断面図、図６（ａ）は、従来技術の股義足を表す全体斜視図、図６（ｂ）は、股継手の股関節軸位置を表す断面図である。
【００３５】
まず、図１〜図３を参照しながら、実施例１の股義足の概略について説明する。本実施例１の股義足（左足用）は、図１、図２に示すとおり、股ソケット１００、股継手１２０及び大腿用骨格パイプ１５０等から構成されている。樹脂で形成された股ソケット１００（各図は左脚用）は、内側側方から上方に向けて開口し、開口側に大腿部固定用の固定帯部１０４とベルト１０４ａが設けられる一方で、外周下面から外周側面に厚肉部１０１が設けられている。
【００３６】
股ソケット１００は、厚肉部１０１の下側において縦断面Ｔ字形状であって側面視円弧状に予め曲げられた金属製ガイドレール１０２が、露出面１０２ａを下方に露出させた状態で一体成形されている。また、厚肉部１０１の側面側には、ナット１０３が複数箇所埋め込まれ、雌ネジ孔１０３ａが外部に開口するように一体成形されている。
【００３７】
股継手１２０は、固定ブラケット１２１及び回転ブラケット１２２より構成され、固定ブラケット１２１が、固定部１２５上のざぐり孔１２５ａを介し、股ソケットの雌ネジ孔１０３ａにネジ（１２５ｂ）止めされている（請求項３の取り付け部に該当）。一方、ざぐり孔１２５ａの下には、厚肉部１２６が設けられ、下方へ開口する間隙１２６ａと、外周に回転軸１２４の固定孔（図示せず）が形成されている。
【００３８】
回転ブラケット１２２は、正面視Ｊ字状に形成され、上端側の板厚が間隙１２６ａと略同一に形成されている。また、上端側には、回転軸１２４を挿入する摺動孔１２２ａ（滑り軸受け。図４参照）が設けられている。回転ブラケット１２２は、上端部が間隙１２６ａに挿入された状態で、回転軸１２４が摺動孔１２２ａに挿入され、かつ固定ブラケット１２１へ固定されることにより、回転軸１２４を中心に相対的に回転する。
【００３９】
尚、股ソケット１００に埋設する複数のナット１０３は、股ソケット１００に股継手１２０を取り付けた際に、回転軸１２４の回転中心が、脚の離断前に股関節の回転中心があった位置に出来る限り近く配置されるように埋設する。
【００４０】
また、回転ブラケット１２２の下端支持部１２２ｂには、支持ローラー１２７の取付部１２２ｃが設けられ、ガイドレール１０２の露出面１０２ａの真下から外周面が接触するように支持ローラー１２７が取り付けられている。本実施例の股義足の装着者が、立脚し又は遊脚する際には、支持ローラー１２７を介して下端支持部１２２ｂが、股ソケット１００に作用する装着者の体重を支える。更に、遊脚時に支持ローラー１２７は、回転ブラケット１２２の回転に合わせ、露出面１０２ａに沿って転がり運動する。
【００４１】
また、回転ブラケット１２２の下面には、複数のネジ孔１２２ｄが設けられ、対応するざぐり孔を備えた固定板１２８がネジ（１２８ａ）止めされている。更に固定板１２８にも、複数のネジ孔１２８ｂが設けられ、上端に複数のざぐり孔付きのフランジ部１５０ａを形成した大腿用骨格パイプ１５０がネジ（１５０ｂ）止めされている。
【００４２】
尚、固定ブラケット１２１には、固定部１２５から後方に向かってダンパー取付部１２５ｃが突出し、油圧ダンパー１２９（請求項６及び７の弾性機構に相当）が、油圧で摺動する摺動棒１２９ａを下方に向けて固定されている。また、厚肉部１２６の外側面にはネジ孔１２６ｅが設けられ、ダンパー押下ブラケット１４０がネジ止めされている。更に、回転ブラケット１２２には、先端部の後方にローラー１２２ｅが回転自在に設けられている。
【００４３】
摺動棒１２９ａは、先端がローラー１２２ｅに接触するように固定され、下向きの弾性力（回転ブラケット１２２が屈曲方向へ回転するモーメント）を受けたローラー１２２ｅが回転しつつ、ブラケット１２２を回転させる。
【００４４】
さらに回転ブラケット１２２の外周側面には、複数のネジ孔１２２ｆが設けられ、ダンパー固定ブラケット１３１がネジ（１３１ａ）止めされると共に、油圧ダンパー１３２が、油圧で摺動する摺動棒１３２ａを上方に向けてダンパー取付部１３１ｂに固定されている。摺動棒１３２ａは、先端がダンパー押下ブラケット１４０の摺接面１４０ａに接触し、押されることで弾性力を生じる（回転ブラケット１２２が伸展方向へ回転するモーメントを及ぼす）ように固定される。摺動棒１３２の上面１３２ｂは、ブラケット１２２の回転時に合わせて円弧状に形成された摺接面１４０ａ上を摺動する。
【００４５】
次に図１から図５により、回転ブラケット１２２の回転範囲を制限する構造及び回転範囲を切り替える構造について説明する。図４より、回転ブラケット１２２の上端には、回転範囲調整ネジ（前側）１３３ａ及び（後側）１３３ｂが進退可能な状態で突出している。また、間隙１２６ａの上端にあたる厚肉部内底部１２６ｂには、一定高さの長溝１２６ｃが形成され、長溝１２６ｃの上には、円筒形のシリンダ摺動溝１２６ｄが形成されている。
【００４６】
シリンダ摺動溝１２６ｄには、圧縮コイルバネ１３７を外周に挿入した細軸部１３６ａを備えたシリンダ１３６が、太軸部１３６ｂにおいて、摺動可能に挿入され、蓋板１３８により封をされている。蓋板１３８から前方に突出した細軸部１３６ａには、レバー１３９が取り付けられている。一方、厚肉部内底部１２６ｂの下方からあてがわれたネジ受け部であるネジ受け部材１３４は、突出部１３４ａ、段差部１３４ｂ、面取り部１３４ｃ及び複数のざぐり孔（図示せず）を備え、前記ざぐり孔と長溝１２６ｃを通した複数のネジ１３４ｄにより、シリンダ１３６の太軸部１３６ｂに形成されたネジ孔（図示せず）に向かって下方からネジ止めされ一体化されている。前記ネジ止めは、厚肉部内底部１２６ｂを挟んだシリンダ１３６とネジ受け部材１３４が、一体となって摺動可能な状態を保持できる程度の締め付けで行う。
【００４７】
尚、図４に示すように初期状態のネジ受け部材１３４は、最も後方寄り（図４では右寄り）に配置される。突出部１３４ａは、回転ブラケット１２２の回転時に回転範囲調整ネジ（前側）１３３ａが接触する高さに形成し、段差部１３４ｂは、回転範囲調整ネジ（後側）１３３ｂが接触し、かつネジ（前側）１３３ａが、接触せずに空転する高さに形成する。回転ブラケット１２２は、屈曲方向においては、ネジ１３３ａが突出部１３４ａに接触するまで回転し、伸展方向においては、ネジ１３３ｂが段差部１３４ｂに接触するまで回転する。
【００４８】
一方、図５に示すように、レバー１３９を前方に引くと、一体化されたネジ受け部材１３４が、最も前方寄り（図４では左寄り）にスライドする。その場合、回転範囲調節ネジ１３３ａは、突出部１３４ａ及び段差部１３４ｂと接触すること無く空転し、回転ブラケット１２２及び取り付けられた大腿用骨格パイプ１５０は屈曲方向へ大きく回転する。その後レバー１３６を離すと、ネジ受け部材１３４は、圧縮コイルばね１３７により図４の初期位置（一番右寄り）に戻る。
【００４９】
尚、回転範囲調節ネジ１３３ａは、回転ブラケット１２２が、前述したように大きく屈曲した状態から再び伸展方向へ回転する際に、回転範囲調節ネジ１３３ａの先端が、初期位置に戻ったネジ受け部材１３４の面取り部１３４ｃに接触する高さに突出させる。ネジ１３３ａの先端は、面取り部１３４ｃ上を滑りつつネジ受け部材１３４を左に押してスライドさせたのち、面取り部１３４ｃから離れる。ネジ受け部材１３４は再び初期状態に戻り、図４に示すように回転ブラケット１２２の回転範囲が再び制限される。
【００５０】
尚、大腿用骨格パイプ１５０の下端部には、図示しない膝関節軸、下肢用骨格パイプ及び足首が取り付けられている。このとき膝関節軸には、大腿用骨格パイプ１５０の上端が下肢用骨格パイプの中心軸に対して前傾（過伸展）しないように膝折れ防止構造を備えたものを用いる。例えば、ｔｅｈｌｉｎ社のＴＧＫ−５ＰＳＯやｏｓｓｕｒ社のｔｋ−２０００等の使用が考えられる。
【００５１】
また、図１各図に示すとおり股ソケット１００は、硬質な樹脂で形成し、厚肉部１０１は、ガイドレール１０２及びナット１０３に義足装着者の体重が作用しても耐えうる十分な厚さとして骨盤収納部１００ａと一体成形する。その際、固定帯部１０４は、軟質な樹脂を用いた別部材として曲げ伸ばし自在に形成し、骨盤収納部１００ａに固定することが考えられる。
【００５２】
一方、骨盤収納部１００ａと固定帯部１０４ａを軟質な樹脂で一体成形し、金属性のガイドレール１０２と複数のナット１０３を埋設して一体成形した硬質な樹脂（硬化性発泡樹脂やカーボン繊維強化樹脂等）からなる厚肉部１０１は、骨盤収納部１００ａと別体に形成し、骨盤収納部１００ａに取り付けることも考えられる。
【００５３】
また、円弧状に形成されたガイドレール１０２は、接触する支持ローラー１２７が滑らかに転がるように曲率半径が一定となるように曲げ形成する。また、前記曲率半径は、側面から見た回転ブラケット１２２の回転軸１２４の中心位置からローラー１２７とガイドレール露出面１０２ａとの接触面までの距離と一致させる。
【００５４】
尚、図１（ｂ）に示す、厚肉部１０１に一体化する金属性のガイドレール１０２は、フランジ部１０２ｂの横幅をできるだけ広く形成すれば、樹脂製の厚肉部下側の強度補強を図れる点で望ましいといえる。露出面１０２ａとフランジ部１０２ｂを一体成形して縦断面Ｔ字型に一体成形する他、露出面１０２ａを構成する部材を別体としたフランジ部１０２ｂにネジ止め（ネジの頭が露出面１０２ａ上から突出しないようにする）しても良い。
【００５５】
また、油圧ダンパー１２９，１３２の代わる弾性機構として、バネ機構や電子制御可能なアクチュエータ機構を採用することも考えられる。
【図面の簡単な説明】
【００５６】
【図１】（ａ）本発明の実施例である股義足の正面図。                                  （ｂ）本実施例の股ソケットへ埋設されたガイドレールを表す一部断面図。
【図２】本実施例に係る股義足の側面図。
【図３】股義足の股継手とガイドレールの位置関係を表す斜視図。
【図４】股継手の股関節軸近傍の内部構造を表す一部断面図。
【図５】着座時の回転ブラケットと固定ブラケットの位置関係を表す一部断面図
【図６】（ａ）従来技術の股義足を表す全体斜視図。                                    （ｂ）従来技術の股継手の股関節軸位置を表す断面図。
【符号の説明】
【００５７】
１００    股ソケット
１０２    ガイドレール
１０２ａ  露出面
１０３    取付部
１２０    股継手
１２１    固定ブラケット
１２２    回転ブラケット
１２２ｂ  下端支持部
１２４    股関節軸
１２７    支持ローラー
１２９，１３２  オイルダンパー
１３３ａ  回転範囲調整ネジ（前側）
１３３ｂ  回転範囲調整ネジ（後側）
１３４    ネジ受け部であるネジ受け部材
１３４ａ  突出部
１３４ｂ  段差部
１３９    レバー
【図１】
0004581092.tif 000002
【図２】
0004581092.tif 000003
【図３】
0004581092.tif 000004
【図４】
0004581092.tif 000005
【図５】
0004581092.tif 000006
【図６】
0004581092.tif 000007